(57)【要約】【課題】  各種の装置の設定情報編集処理方法及び設定情報編集システムに関し、目的の装置に対する設定情報を、リブートすることなく設定する。【解決手段】  設定情報を編集して目的の装置に設定する制御システム、例えば、装置１１を含み、この装置１１は、共通情報と個別情報と装置情報とを含むひな型の設定情報又は類似装置の設定情報を基に、少なくとも個別情報を目的の装置（１２〜１３）に対応した変更により、その目的の装置に対する設定情報を編集する編集手段と、設定情報とコマンドとを対応付けた装置コマンド情報を基に、編集手段により編集した設定情報をコマンドに変換する変換手段と、この変換手段により変換したコマンドを目的の装置に転送する手段とを備えて、目的の装置は、コマンド実行により設定情報を装置内部に設定する。【選択図】      図１
2006146655.tif 000002
【特許請求の範囲】
【請求項１】
設定情報を編集して目的の装置に設定する設定情報編集処理方法に於いて、
共通情報と個別情報と装置情報とを含むひな型の設定情報又は類似装置の設定情報を基に、少なくとも前記個別情報を前記目的の装置に対応した変更により、該目的の装置に対する設定情報を編集する過程と、
設定情報とコマンドとを対応つけた装置コマンド情報を基に、前記編集した設定情報をコマンドに変換し、該コマンドを前記目的の装置に転送して該コマンドの実行により、設定情報に従った設定を行わせる過程とを含む
ことを特徴とする設定情報編集処理方法。
【請求項２】
前記目的の装置に対する設定情報を編集し、設定情報とコマンドとを対応付けた前記装置コマンド情報の設定項目対応に、前記設定情報のデータを設定ウィンドウに表示して、変換したコマンド内容を確認する過程を含むことを特徴とする請求項１記載の設定情報編集処理方法。
【請求項３】
前記ひな型又は類似装置の設定情報を基に、前記目的の装置に対する設定情報を編集した結果を、ファイル情報に従ってチェックサムとファイル識別情報とを生成し、該チェックサムとファイル識別情報とを含む前記設定情報を、バックアップ用として保存する過程を含むことを特徴とする請求項１記載の設定情報編集処理方法。
【請求項４】
設定情報を編集して目的の装置に設定する制御システムを含む設定情報編集処理システムに於いて、
前記制御システムは、共通情報と個別情報と装置情報とを含むひな型の設定情報又は類似装置の設定情報を基に、少なくとも前記個別情報を前記目的の装置に対応した変更により、該目的の装置に対する設定情報を編集する編集手段と、
設定情報とコマンドとを対応つけた装置コマンド情報を基に、前記編集手段により編集した設定情報をコマンドに変換する変換手段と、
該変換手段により変換したコマンドを前記目的の装置に転送する手段とを備えた
ことを特徴とする設定情報編集処理システム。
【請求項５】
前記制御システムは、前記ひな型又は類似装置の設定情報を基に、前記目的の装置に対する設定情報を編集した結果を、ファイル情報に従ってチェックサムとファイル識別情報とを生成する編集手段と、該編集手段により編集した設定情報をバックアップ用として保存するメモリとを含む構成を有することを特徴とする請求項４記載の設定情報編集処理システム。
【発明の詳細な説明】
【技術分野】
【０００１】
本発明は、各種の装置に対する設定情報を編集し、コマンドに変換して設定する設定情報編集処理方法及び設定情報編集処理システムに関する。
【背景技術】
【０００２】
各種の装置は、その動作条件等を定める設定情報を設定するものであり、その場合に、その装置のハードディスク装置等のメモリにも、その設定情報を、チェックサム等の正常性チェックを可能とした情報を付加して保存する構成が一般的である。又その設定情報をバックアップシステムに対してアップロードして保存し、装置障害発生時に、バックアップシステムから障害発生装置に設定情報をダウンロードし、リブートによって初期化して、障害回復を図ることも知られている。
【０００３】
図１０は、設定情報のダウンロードとアップロードとの処理の概要を示すものであり、同図の（Ａ）は、制御システムに於いて作成した設定情報を、ネットワーク等を介して、点線矢印で示すように、目的の装置に設定し、且つその設定情報を、フラッシュメモリ等の不揮発性メモリにも保存する場合の概要を示す。又同図の（Ｂ）は、装置に設定した設定情報を、メモリから制御システム又はバックアップシステムに、点線矢印で示すように、ネットワーク等を介してアップロードし、保存する場合の概要を示す。又同図の（Ｃ）は、制御システム又はバックアップシステムからネットワーク等を介して、目的の装置のメモリに一旦転送し、そのメモリに格納した設定情報により、装置の設定情報を復元する場合の概要を示す。
【０００４】
又設定情報は、装置側ではバイナリファイルとして保持するもので、従って、装置に設定した設定情報をアップロードして、制御システム又はバックアップシステムに於いて保持する場合には、バイナリファイルとして保存することになる。又この設定情報は、ファイル識別情報、チェックサム等により、正常性のチェックを可能として、改変できないように構成されている。
【０００５】
又デバイスドライバをインストールする場合、又はバージョンアップする場合には、前述のように、装置のリブートを必要とする場合が一般的であるが、インストール直後にリブートをせずに、所定の処理の終了後にリブートを行っても、装置の動作に悪影響を及ぼさない場合もある。そこで、インストール後の表示画面に、リブートの要否を表示できる判定処理を設けたシステムが提案されている（例えば、特許文献１参照）。又デバイスドライバの新規インストール又はバージョンアップの場合に、リブートの機会を低減し、且つ目的以外のドライバに対する上書きが発生しないように、識別情報等を生成してインストールする手段が提案されている（例えば、特許文献２又は特許文献３参照）。
【特許文献１】特開２００３−３０８２１５号公報
【特許文献２】特開２００４−６２３９７号公報
【特許文献３】特開２００４−６２３９８号公報
【発明の開示】
【発明が解決しようとする課題】
【０００６】
前述のデバイスドライバについてはバックアップ用として保存することは殆どないものであるが、設定情報は、装置の各部の処理動作を規定するものであるから、制御システム又はバックアップシステムに於いて保存し、装置障害時には、ダウンロードして障害復旧を図るものであり、その設定情報は、前述のように、バイナリファイルとし、且つチェックサム等により正常性チェックを可能としているものである。従って、制御システム又はバックアップシステム側で、設定情報の変更又は修正を行って、目的の装置にダウンロードしても、正常性チェックにより、正常な設定情報ではないと判定されることになる。即ち、保存している設定情報は、その装置固有の設定情報として保存していることになって、例えば、他の類似した装置に、その設定情報を流用することはできないものであった。又制御システム又はバックアップシステムから設定情報を、ネットワークを介して装置に転送した場合、その設定情報を装置に反映させる為に、ネットワークから切り離してリブートし、更に、その装置の個別設定完了後には、再度リブートする必要があった。この場合、例えば、設定情報に含まれている装置ＩＰアドレスが設定されるので、一旦ネットワークから切り離す必要が生じるものである。
【０００７】
本発明は、設定情報をコマンドに変換して装置に設定することにより、装置のリブートを省略可能とし、又異なる装置対応のコマンドに変換して設定することを可能とするものである。
【課題を解決するための手段】
【０００８】
本発明の設定情報編集処理方法は、設定情報を編集して目的の装置に設定する設定情報編集処理方法であって、共通情報と個別情報と装置情報とを含むひな型の設定情報又は類似装置の設定情報を基に、少なくとも前記個別情報を前記目的の装置に対応した変更により、この目的の装置に対する設定情報を編集する過程と、設定情報とコマンドとを対応つけた装置コマンド情報を基に、編集した設定情報をコマンドに変換し、このコマンドを前記目的の装置に転送して、このコマンドの実行により、設定情報に従った設定を行わせる過程とを含むものである。
【０００９】
又目的の装置に対する設定情報を編集し、設定情報とコマンドとを対応付けた装置コマンド情報の設定項目対応に、前記設定情報のデータを設定ウィンドウに表示して、変換したコマンド内容を確認する過程を含むことができる。
【００１０】
又ひな型又は類似装置の設定情報を基に、目的の装置に対する設定情報を編集した結果を、ファイル情報に従ってチェックサムとファイル識別情報とを生成し、このチェックサムとファイル識別情報とを含む設定情報を、バックアップ用として保存する過程を含むことができる。
【００１１】
又本発明の設定情報編集処理システムは、設定情報を編集して目的の装置に設定する制御システムを含む設定情報編集処理システムであって、制御システムは、共通情報と個別情報と装置情報とを含むひな型の設定情報又は類似装置の設定情報を基に、少なくとも前記個別情報を前記目的の装置に対応した変更により、その目的の装置に対する設定情報を編集する編集手段と、設定情報とコマンドとを対応付けた装置コマンド情報を基に、前記編集手段により編集した設定情報をコマンドに変換する変換手段と、この変換手段により変換したコマンドを前記目的の装置に転送する手段とを備えている。
【００１２】
又制御システムは、前記ひな型又は類似装置の設定情報を基に、前記目的の装置に対する設定情報を編集した結果を、ファイル情報に従ってチェックサムとファイル識別情報とを生成する編集手段と、この編集手段により編集した設定情報をバックアップ用として保存するメモリとを含む構成を有するものである。
【発明の効果】
【００１３】
装置に対する設定情報の作成、更新を、ひな型又は類似した装置の設定情報を利用して実施できるから、設定情報の作成や更新が容易となり、更に、編集した設定情報をコマンドに変換し、目的の装置に転送してコマンド実行により、設定情報に従った装置内部の設定を行うもので、目的の装置は、新規又は更新した設定情報を、コマンド実行により設定することができるから、リブートの必要が無くなる利点がある。又１個の設定情報をひな型として、複数の装置に対する設定情報の作成を行うことができる利点がある。
【発明を実施するための最良の形態】
【００１４】
本発明の設定情報編集処理方法は、共通情報と個別情報と装置情報とを含むひな型の設定情報又は類似装置の設定情報を基に、少なくとも個別情報を、目的の装置に対応した変更により、この目的の装置に対する設定情報を編集する過程と、設定情報とコマンドとを対応付けた装置コマンド情報を基に、編集した設定情報をコマンドに変換し、このコマンドを目的の装置に転送して、このコマンドの実行により、設定情報に従った設定を行わせる過程とを含むものである。
【００１５】
本発明の設定情報編集処理システムは、設定情報を編集して目的の装置に設定する制御システムを含み、この制御システムは、共通情報と個別情報と装置情報とを含むひな型の設定情報又は類似装置の設定情報を基に、少なくとも前記個別情報を前記目的の装置に対応した変更により、その目的の装置に対する設定情報を編集する編集手段と、設定情報とコマンドとを対応付けた装置コマンド情報を基に、前記編集手段により編集した設定情報をコマンドに変換する変換手段と、この変換手段により変換したコマンドを前記目的の装置に転送する手段とを備えている。
【実施例１】
【００１６】
図１は、本発明の実施例１の説明図であり、複数の装置１１〜１４は、データ通信機能を有する構成の場合で、ＬＡＮ（ローカルエリアネットワーク）やＩＰ（インターネットプロトコル）網等のネットワーク１５を介して相互に接続され、装置１１〜１４は、それぞれマイクロプロセッサ等による制御部２１〜２４と、フラッシュメモリ等の不揮発性のメモリ３１〜３４とを含む構成を有するものであり、又制御部２１〜２４は、設定情報に従って通信制御等の処理を行うものであって、メモリ３１〜３４は、その設定情報を、従来例と同様に、バイナリデータとして保存するものである。
【００１７】
このようなシステムに於いて、例えば、装置１１を制御システム（又はマネージャー、バックアップシステム等）の機能を有する装置とすると、この装置１１の制御部２１は、設定情報の編集手段と、設定情報をコマンドに変換する変換手段と、コマンドを他の装置に転送する転送手段とを含む構成とする。又装置１１をバックアップシステムとする場合は、他の装置１２〜１４のメモリ３２〜３４に格納した設定情報を、装置１１のメモリ３１にも保存する。又は設定情報を変換したコマンドを保存する。この場合に、バックアップ用として、旧バージョンの設定情報を含めて更新記録としての設定情報を保存することも可能である。例えば、新バージョンの設定情報に不具合が含まれている場合に、旧バージョンの設定情報を転送して設定することも可能となる。
【００１８】
装置１１を、前述のように、制御システム（又は、マネージャー）として、装置１２の設定情報の修正を行う場合は、装置１１のメモリ３１に保存してある装置１２の設定情報又は他の類似した装置の設定情報或いはひな型の設定情報を用いて、その制御部２１の編集手段により、装置１２に対する設定情報の編集を行い、編集した設定情報を、変換手段により、コマンドに変換して、転送手段により、装置１２に対してネットワーク１５を介して転送する。装置１２は、受信したコマンドを実行して設定情報に従った装置内部の設定を行い、その設定情報をメモリ３２に保存する。従って、類似した機能の装置であれば、その中の１台の装置の設定情報を利用して、制御システム等の編集手段及びコマンドに変換する変換手段を有する装置に於いて、他の装置の設定情報の編集が可能となり、又ひな型を用いて新規に設定情報を編集し、コマンドに変換して、目的の装置に転送し、コマンド実行により、その装置の内部の設定を行うことができ、その場合に、目的の装置は、リブートを必要としない利点がある。
【００１９】
図２は、本発明の実施例１の設定処理の概要説明図であり、設定情報からコマンドを生成して、目的の装置に設定する設定処理の概要を示すものである。装置Ａの設定情報Ａを、制御システム又はマネージャーは、ＦＴＰ（Ｆｉｌｅ  Ｔｒａｎｓｆｅｒ  Ｐｒｏｔｏｃｏｌ）等により取得してファイルとして保存するか、或いは、ひな型の設定情報を作成する。設定情報Ａ又はひな型の設定情報は、例えば、共通情報（トラップ条件等の運用上統一された情報）、装置個別情報（回線設定情報等の装置対応の情報）、装置情報（ＭＡＣアドレス，ＩＰアドレス等の装置固有の情報）等を含むものである。
【００２０】
制御システム又はマネージャーは、ファイルとして保存した設定情報Ａ又はひな型を基に、装置固有情報の変更を行って、設定情報Ｂを生成し、その設定情報Ｂを装置情報ファイルとして保存するか、又はその設定情報Ｂを装置コマンドに変換し、その装置コマンドを装置Ｂに送出する。装置Ｂは、装置コマンドを実行することにより、設定情報Ｂを装置Ｂ内に設定する。即ち、リブート処理を行うことなく、設定情報Ｂをコマンド処理により装置Ｂ内に設定することができる。又制御システム又はマネージャーは、新たに生成したひな型又は１台の装置の設定情報をひな型として、他の装置に対する設定情報を装置個別情報の変更等を行って作成し、その設定情報を目的の装置に設定する為のコマンドを生成するものである。
【００２１】
図３の（Ａ）は、設定情報をバイナリデータとしてメモリ（図１のメモリ３１〜３４に相当）に保存する場合の構成の一例を示すもので、メモリの領域として、設定情報の領域と、そのチェックサムの領域と、予備の領域と、ファイル識別情報の領域と、ファイルチェックサムの領域とからなる構成の場合を示す。又図３の（Ｂ）は、設定情報の設定項目の一例を示すもので、ＭＧＭＴ設定、ＭＡＮＡＧＥＲ（マネージャー）設定、ＳＹＳＬＯＧ（システムログ）設定、ＳＮＴＰ設定、装置警報Ｔｒａｐ設定、共通部警報（ＥＱＰ，ＰＯＷ）Ｔｒａｐ設定、加入者ポートＬｉｎｋアラームＴｒａｐ設定、ネットワークポートＬｉｎｋアラームＴｒａｐ設定、ポートソフトストラップ設定、ＶＬＡＮ（仮想ローカルエリアネットワーク）設定、試験ポートソフトストラップ設定等を含むものである。
【００２２】
図４の（Ａ）は、設定情報の設定内容の一例を示すもので、前述のＭＧＭＴ設定の中のＭＧＭＴ  ＩＰアドレス設定と、ＭＧＭＴ  ＳＵＢＮＥＴ  ＭＡＳＫ設定と、ＭＧＭＴ  ＧＡＴＥＷＡＹ  ＩＰアドレス設定とについて示し、図示を省略しているが、アドレス００〜０Ｂに対応してデータが設定される。
【００２３】
又図４の（Ｂ）は、設定情報とコマンド設定情報との対応関係の一例を示すもので、例えば、設定情報のｄａｔａ１とコマンド設定情報のＣｏｍｍａｎｄ１とを対応させ、設定情報のｄａｔａ２とコマンド設定情報のＣｏｍｍａｎｄ２とを対応させる。他の設定情報ｄａｔａについてもＣｏｍｍａｎｄを対応させて、設定情報からコマンドを生成する。
【００２４】
図５の（Ａ），（Ｂ）はコマンド構成情報の一例を示すものであり、コマンド名をｃｏｍｍａｎｄとし、Ｐａｒａ（パラメータ）属性、相対アドレス、Ｂｙｔｅ長、最小値、最大値、ｂｉｔ  Ｍａｓｋ、読出アドレス、Ｐａｒａ間（パラメータ間に挿入する文字等）、Ｐａｒａ（パラメータ）ラベル対応に設定した一例を示す。
【００２５】
図６は、設定情報ファイルの一例を示し、ファイル情報と、コマンド設定情報と、コマンド構成情報とを含み、この設定情報ファイルを読込んだ時に、表示ウィンドウのタイトルバーに、「設定情報編集プログラム」として表示されるように、装置名に、「設定情報編集プログラム」が設定される。又ファイル情報の“ｄａｔａ”は、設定情報ファイルに書込まれている設定情報のエリアを示し、括弧内の“ａｄｒｓ＝００００ｈ，０８６７ｈ”の指定は、設定情報エリアのアドレスが“００００ｈ”から“０８６７ｈ”までであることを示している。
【００２６】
又ファイル情報の“ｃｈｋｓｕｍ”は、設定情報の正常性を保証する為のチェックサムに書込まれている設定情報のエリアと計算式とを示し、括弧内の“ａｄｒｓ＝０８６８ｈ”と、“ｂｙｔｅ＝４”とより、アドレスとバイト数とを示し、チェックサムの計算式として、“０ｘ１００００００００−（０＋０８６７ｈ，４ｂｙｔｅ）”を指定し、又“ｆｉｌｅＩＤ”（ファイル識別子）として括弧内の“ａｄｒｓ＝０８６８ｈ”と“ｂｙｔｅ＝４”とにより、アドレスとバイト数とを示し、そのＩＤとして“Ｌ２ＳＷ”を設定した場合を示す。又そのチェックサム“ｃｈｋｓｕｍ”も括弧内の“ａｄｒｓ＝０ｃ４４ｈ”と、“ｂｙｔｅ＝４”によりアドレスとバイト数とを示し、チェックサムの計算式として、“０ｘ１００００００００−（０＋０ｃ４３ｈ，４ｂｙｔｅ）”により指定した場合を示す。
【００２７】
又コマンド設定情報は、先頭位置から相対的な位置にエリア分けをして、設定項目の先頭位置に、そのコマンド名称を設定し、次の設定項目の位置の手前までに“０”を設定する。設定情報編集プログラムは、このコマンド設定情報のコメント行を除く最初の位置から読出して、“０”以外の文字列をカンマ区切り位置まで取り込み、次のコマンド構成情報から同じコマンド名称を検索し、合致したコマンド名称の位置から、“ａｔｔｒｉｂ”，“ａｄｒｓ”，“ｂｙｔｅ”，“ｂｉｔｍａｓｋ”，“ｐａｒａ”，“ｉｎｔｖ”の設定値を取り込み、次に説明する処理を実行する。
【００２８】
前述の“ａｔｔｒｉｂ”は、設定情報ファイルに設定されている設定値が何の設定値かを示すもので、それぞれの設定値の処理は、
“ｄｅｃ”は、相対アドレスで示すエリアの数値を読出し、１０進数表示の文字に変換する。
“ｈｅｘ”は、相対アドレスで示すエリアの数値を読出し、１６進数表示の文字に変換する。
“ｐａｒ”は、相対アドレスで示すエリアの数値を読出し、読出アドレスのパラメータからパラメータ文字を読出す。
“ｃｈｒ”は、設定情報に設定されている文字列をバイト長分読出す。
“ｅｎｄ”は、コマンドの設定パラメータの終わりを示す。
【００２９】
又前述の“ａｄｒｓ”は、コマンド設定情報で設定されたコマンドの相対位置から何バイト目の位置にパラメータが設定されているかを示すものである。又“ｂｙｔｅ”は、前記“ａｄｒｓ”で示された位置から読込むバイト数を指定するものである。又“ｂｉｔｍａｓｋ”は、パラメータがビット単位で設定されている場合の有効ビット数を取り出す為のビットマスクパターンを示すものである。又“ｐａｒａ”は、パラメータの文字列が格納されている位置を示すものである。又“ｉｎｔｖ”は、コマンドとパラメータとの間に指定する文字、例えば、空白を“２０ｈ”により、又点を“２ｅｈ”により示すものである。
【００３０】
又コマンド構成情報から設定情報を編集する際に表示するウィンドウ情報を含むものであり、“ｍｉｎ”により、設定項目の設定値の最小値を示し、“ｍａｘ”により、設定項目の設定値の最大値を示し、“ｌａｂｅｌ”により、表示するウィンドウ内の設定項目（パラメータ）を識別する為のラベル文字を表示する。なお、図６に示す場合の設定コマンドは、“ｉｐ  ｍｇｍｔ  １９２．１６８．０２．２５５．２５５．０．１９２．１６８．０．１．［Ｅｎｔｅｒ］のＩＰアドレスの設定コマンドを示すものとなる。
【００３１】
図７は、コマンド変換処理のフローチャートと設定情報編集用ファイルとを示し、設定情報編集用ファイルは、プロトタイプ設定情報又は編集済みの設定情報と、定義情報と、装置コマンド情報と、コマンドファイルとの格納領域を含み、それぞれ装置種別対応の情報を保持又は格納する領域を有するものである。先ず、コマンド変換プログラムを起動して、設定情報を設定する目的の装置を特定し、設定情報編集用ファイルのプロトタイプ装置設定情報の選択・読込み又は編集済みの設定情報の選択・読込みを行う。例えば、装置Ａが目的の装置とすると、プロトタイプ設定情報又は編集済みの設定情報から、Ａ装置設定情報の読込みを行う（ａ），（ｂ）。次に、設定情報と編集項目とを関連付ける定義情報の読込みを行う。例えば、装置種別Ａの装置定義情報の読込みを行う（ｃ）。次に、装置定義情報に従って設定情報の編集を行い、編集した設定情報を、設定情報編集ファイルの設定情報（編集済）の領域に格納する。例えば、装置Ａの編集した設定情報を、Ａ装置設定情報として保存する（ｄ）。
【００３２】
次に、コマンドへの変換処理に移行する。先ず、設定情報編集用ファイルの装置コマンド情報の領域から設定情報とコマンドとを関連付けた情報を読込む。例えば、Ａ装置コマンド情報の読込みを行う（ｅ）。次に、設定情報とコマンドとを関連付けた情報を基に、設定情報をコマンドに変換する。そして、変換したコマンドを保存する。例えば、Ａ装置コマンドを、設定情報編集用ファイルのコマンドファイルに保存する（ｆ）。このコマンドファイルに保存したコマンドを、目的の装置に転送して設定する。その場合、目的の装置は、コマンド実行により、リブートすることなく、設定情報を装置内に設定することができる。
【００３３】
図８は、コマンド編集の説明図であり、設定情報編集用ファイルの設定情報と装置定義情報とウィンドウタイプと表示画面とを示す。設定情報は、アドレスとデータと項目とからなり、例えば、ＩＰアドレスの場合に、アドレス“００００”のデータは“Ｃ０”、それに対応する項目は装置ＩＰアドレス１（１桁目）、アドレス“０００１”のデータは“Ａ８”、それに対応する項目は装置ＩＰアドレス２（２桁目）を示す。又アドレス“０００Ｂ”のデータは“Ｆ１”、それに対応する項目はゲートウェイアドレス４（４桁目）を示す。
【００３４】
又装置定義情報は、アドレスとウィンドウと設定ボックスと情報とからなり、例えば、アドレス“００００”のウィンドウは“Ｔ０１”で、ウィンドウタイプＴ０１を示す。又設定ボックスは“Ｅ０１”、情報は装置ＩＰアドレス１（１桁目）、次のアドレス“０００１”のウィンドウは“Ｔ０１”、設定ボックスは“Ｅ０２”、情報は装置ＩＰアドレス２（２桁目）を示す。又アドレス“０００Ｂ”のウィンドウは“Ｔ０１”、設定ボックスは“Ｅ２４”、情報はゲートウェイアドレス４（４桁目）を示す。
【００３５】
装置定義情報のウィンドウタイプの“Ｔ０１”により、図示のＩＰ  ＡｄｄｒｅｓｓとＳｕｂｎｅｔ  ＭａｓｋとＧａｔｅｗａｙとの編集ウィンドウが表示され、装置定義情報のアドレスと、設定情報のアドレスとが参照されて、装置定義情報の設定ボックスと設定情報のデータとが関連付けられ、図示のように、ＩＰ  Ａｄｄｒｅｓｓの設定ボックス“Ｅ０１”に、設定情報のデータ“Ｃ０”＝１９２が表示され、設定ボックス“Ｅ０２”に、設定情報のデータ“Ａ８”＝１６８が表示される。同様にして、Ｇａｔｅｗａｙ  Ａｄｄｒｅｓｓの設定ボックス“Ｅ２４”に、設定情報のデータ“Ｆ１”＝２４１が表示される。このような設定内容を確認して、設定ボタンを押下することにより、編集操作を終了し、装置定義情報に定義されている設定ボックスから設定情報ファイルの指定位置に書込むことになる。
【００３６】
図９は、コマンド変換の説明図であり、装置コマンド情報は、アドレスと、コマンド名と、Ｐａｒａ（パラメータ）属性と、相対アドレスと、Ｂｙｔｅ長と、最小値と、最大値と、ｂｉｔ  Ｍａｓｋと、読出アドレスと、Ｐａｒａ間（パラメータ間挿入文字）と、Ｐａｒａラベルとを含み、この装置コマンド情報と図８に示す設定情報とを基に、コマンドを生成する場合を示し、矢印でそれぞれの対応の関係の一部を示す。装置コマンド情報のコマンド名の“ｃｏｎｆｉｇ  ｉｐ  ｍｇｍｔ”を先頭として、図８の編集ウィンドウの表示内容に従ったコマンド“ｃｏｎｆｉｇ  ｉｐ  ｍｇｍｔ  ｉｐ  １９２．１６８．２４０．２５４  ｓｕｂ  ｘｘｘ．ｘｘｘ．ｘｘｘ．ｘｘｘ  ｇｗ  ｘｘｘ．ｘｘｘ．ｘｘｘ．２４１”に変換され、目的の装置にＩＰアドレスの設定を行うことができる。
【図面の簡単な説明】
【００３７】
【図１】本発明の実施例１の説明図である。
【図２】本発明の実施例１の設定処理の概要説明図である。
【図３】設定情報と設定項目との説明図である。
【図４】設定情報の設定内容説明及び設定情報とコマンド設定情報との関係説明図である。
【図５】コマンド構成情報の説明図である。
【図６】装置情報ファイル設定説明図である。
【図７】コマンド変換処理のフローチャートと設定情報編集用ファイルとの説明図である。
【図８】コマンド編集の説明図である。
【図９】コマンド変換の説明図である。
【図１０】設定情報のダウンロードとアップロードとの処理の概要説明図である。
【符号の説明】
【００３８】
１１〜１４  装置
１５  ネットワーク
２１〜２４  制御部
３１〜３４  メモリ
【図１】
2006146655.tif 000003
【図２】
2006146655.tif 000004
【図３】
2006146655.tif 000005
【図４】
2006146655.tif 000006
【図５】
2006146655.tif 000007
【図６】
2006146655.tif 000008
【図７】
2006146655.tif 000009
【図８】
2006146655.tif 000010
【図９】
2006146655.tif 000011
【図１０】
2006146655.tif 000012